(57)【要約】【課題】局内送信干渉の影響を除去あるいは低減することにより無線通信装置の基本性能を向上するとともに、小型で安価な無線通信装置を提供する。【解決手段】  所定の高周波信号を送受信する機能を備えた第一の無線機と、所定の高周波信号を送受信する機能を備えた第二の無線機と、入力された高周波信号の振幅あるいは位相、またはその両方を所定量変化させて出力する振幅位相調節部と、 前記第一の無線機及び前記振幅位相調節部と接続され、前記第一の無線機から入力される高周波信号を前記振幅位相調節部に出力し、前記振幅位相調節部から入力される高周波信号を前記第一の無線機に出力する第一の高周波方向調整器と、前記第二の無線機及び前記振幅位相調節部と接続され、前記第二の無線機から入力される高周波信号を前記振幅位相調節部に出力し、前記振幅位相調節部から入力される高周波信号を前記第二の無線機に出力する第二の高周波方向調整器と、を備えるキャンセラ部とを有する無線通信装置。【選択図】  図１
2014086825.tif 000002
【特許請求の範囲】
【請求項１】
所定の高周波信号を送受信する機能を備えた第一の無線機と、
所定の高周波信号を送受信する機能を備えた第二の無線機と、
入力された高周波信号の振幅あるいは位相、またはその両方を所定量変化させて出力する振幅位相調節部と、 
前記第一の無線機及び前記振幅位相調節部と接続され、前記第一の無線機から入力される高周波信号を前記振幅位相調節部に出力し、前記振幅位相調節部から入力される高周波信号を前記第一の無線機に出力する第一の高周波方向調整器と、
前記第二の無線機及び前記振幅位相調節部と接続され、前記第二の無線機から入力される高周波信号を前記振幅位相調節部に出力し、前記振幅位相調節部から入力される高周波信号を前記第二の無線機に出力する第二の高周波方向調整器と、を備えるキャンセラ部と、を有し、
前記振幅位相調節部は、前記第一の高周波方向調整器から高周波信号が入力された場合は、前記第二の高周波方向調整器に出力し、前記第二の高周波方向調整器から高周波信号が入力された場合は、前記第一の高周波方向調整器に出力することを特徴とする無線通信装置。
【請求項２】
請求項１に記載の無線通信装置であって、
前記第一の無線機及び第二の無線機の各々は、入力された複数の高周波信号を重畳して１つの高周波信号を出力する機能を備えた装置を有することを特徴とする無線通信装置。
【請求項３】
請求項１に記載の無線通信装置であって、
制御部を有し、
前記制御部は、前記第一の無線機及び第二の無線機がそれぞれ受信する前記所定の高周波信号の品質に基づいて、前記振幅位相調節部に前記高周波信号の振幅あるいは位相、またはその両方を変化させる量を制御するための制御信号を出力することを特徴とする無線通信装置。
【請求項４】
複数の無線機を有し情報信号を送受信する無線通信装置であって、
所定の高周波信号を送受信する機能を備えた第一の無線機と、
所定の高周波信号を送受信する機能を備えた第二の無線機と、
前記第一の無線機が前記所定の高周波信号を送受信する際に用いられる少なくとも１つの第一のアンテナと、
前記第二の無線機が前記所定の高周波信号を送受信する際に用いられる少なくとも１つの第二のアンテナと、
前記第一の無線機が送信した高周波信号が前記第二の無線機を含む前記無線通信装置が有する他の無線機によって受信されることにより発生する干渉信号を低減するための第一のキャンセル信号を生成して出力し、前記第二の無線機が送信した高周波信号が前記第一の無線機を含む前記無線通信装置が有する他の無線機によって受信されることにより発生する干渉信号を低減するための第二のキャンセル信号を生成して出力するキャンセラ部と、を備える無線通信装置であって、 
前記第一の無線機は、
所定のデータを変調してさらに所定の振幅／周波数の高周波信号に変換して出力する機能と、入力された高周波信号を所定の振幅／周波数に変換して所望のデータを復調する機能を備えた第一の送受信部と、
前記第一のアンテナが送信する前記所定の高周波信号と前記第一のアンテナが受信する前記所定の高周波信号とを分離する機能を備えた前記第一のアンテナ給電装置と、
前記第一の無線機が送信する第一送信信号を所定の電力比で複製し、前記複製した第一複製送信信号を出力する機能を備えた第一送信分配装置と、
前記キャンセラ部が出力する前記第二のキャンセル信号を前記第一の無線機が受信する第一受信信号に重畳する機能を備えた第一受信分配装置と、
を備え、
前記第二の無線機は、
所定のデータを変調してさらに所定の振幅／周波数の高周波信号に変換して出力する機能と、入力された高周波信号を所定の振幅／周波数に変換して所望のデータを復調する機能を備えた第二の送受信部と、
前記第二のアンテナが送信する前記所定の高周波信号と前記第二のアンテナが受信する前記所定の高周波信号とを分離する機能を備えた前記第二のアンテナ給電装置と、
前記第二の無線機が送信する第二送信信号を所定の電力比で複製し、前記複製した第二複製送信信号を出力する機能を備えた第二送信分配装置と、
前記キャンセラ部が出力する前記第一のキャンセル信号を前記第二の無線機が受信する第二受信信号に重畳する機能を備えた第二受信分配装置と、
を備え、 
前記キャンセラ部は、
供給された高周波信号の振幅、又は／及び、位相を所定量変化させて前記第一及び／又は第二のキャンセル信号を生成する機能を持つ振幅位相調節部と、 
前記第一送信分配装置が出力する前記第一複製送信信号を前記振幅位相調節部へ供給し、前記振幅位相調節部が出力する前記第二のキャンセル信号を前記第一受信分配装置へ供給する機能を持つ第一の高周波方向調整器と、
前記第二送信分配装置が出力する前記第二複製送信信号を前記振幅位相調節部へ供給し、前記振幅位相調節部が出力する前記第一のキャンセル信号を前記第二受信分配装置へ供給する機能を持つ第二の高周波方向調整器と、
を備えることを特徴とする無線通信装置。 
【請求項５】
請求項４に記載の無線通信装置であって、
前記第一送信分配装置は、
前記第一の送受信部と、前記第一のアンテナ給電装置と、前記第一の高周波方向調整器と、に接続されてあり、
前記第二送信分配装置は、
前記第二の送受信部と、前記第二のアンテナ給電装置と、前記第二の高周波方向調整器と、に接続されてあり、
前記第一受信分配装置は、
前記第一の送受信部と、前記第一のアンテナ給電装置と、前記第一の高周波方向調整器と、に接続されてあり、
前記第二受信分配装置は、
前記第二の送受信部と、前記第二のアンテナ給電装置と、前記第二の高周波方向調整器と、に接続されてあることを特徴とする無線通信装置。
【請求項６】
請求項４または請求項５に記載の無線通信装置において、
前記第一及び前記第二の高周波方向調整器のうち少なくとも１つの高周波方向調整器は、サーキュレータであることを特徴とする無線通信装置。
【請求項７】
請求項４または請求項５に記載の無線通信装置において、
前記第一及び前記第二の高周波方向調整器のうち少なくとも１つの高周波方向調整器は、スイッチであることを特徴とする無線通信装置。
【請求項８】
請求項４または請求項５に記載の無線通信装置において、
前記第一及び前記第二の高周波方向調整器はのうち少なくとも１つの高周波方向調整器は、デュプレクサである
ことを特徴とする無線通信装置。
【請求項９】
請求項４乃至請求項８のいずれか１項に記載の無線通信装置において、
前記第一の送受信部は、
前記第一の送受信部が受信する前記高周波信号の品質を示す第一の受信品質信号を出力し、
前記第二の送受信部は、
前記第二の送受信部が受信する前記高周波信号の品質を示す第２の受信品質信号を出力し、
前記無線通信装置は、
前記第一および第二の受信品質信号を判定し、前記位相振幅調整部が前記高周波信号の振幅あるいは位相、またはその両方を変化させる量を制御するための制御信号を生成して出力する制御部と、を備えることを特徴とする無線通信装置。
【請求項１０】
請求項９に記載の無線通信装置において、
前記制御信号は、前記スイッチの動作を制御することを特徴とする無線通信装置。
【発明の詳細な説明】
【技術分野】
【０００１】
本発明は、無線通信装置に関する。
【背景技術】
【０００２】
時間多重分割あるいは周波数多重分割によって送信と受信を分割する方法を採用する無線通信装置が、１つの装置（筐体）内に複数設けられて共存する場合（以下、このような装置を無線局と呼ぶ）、該無線局に設けられた無線通信装置の内の１つの送信信号が、当該無線局内の別の無線通信装置の受信信号に干渉する現象（以下、局内送信干渉と呼ぶ）が発生することで、通信品質の低下を招く場合がある。当該干渉を除去するための、キャンセル技術の一例が特許文献１および特許文献２に開示されている。
【先行技術文献】
【特許文献】
【０００３】
【特許文献１】特表２００７−５１９３０６号公報
【特許文献２】特開２００７−３１８６９０号公報
【発明の概要】
【発明が解決しようとする課題】
【０００４】
前記特許文献１および特許文献２には、送信信号と逆位相であり且つ同振幅の信号を生成し、受信信号と重畳することで前記干渉を除去あるいは低減する技術が記載されている。しかしながら、特許文献１および特許文献２の無線通信装置は、前記送信信号と逆位相であり且つ同振幅の信号を生成するための機能ブロックを２つ備える構成である。
そのため、前記局内送信干渉を除去あるいは低減する機能を備えるために必要な回路規模が大型で高コストであるという課題がある。
そこで本発明は、局内送信干渉の影響を除去あるいは低減することにより無線通信装置の基本性能を向上するとともに、小型で安価な無線通信装置を提供することを目的とする。
【課題を解決するための手段】
【０００５】
上記課題を解決するために、例えば特許請求の範囲に記載の構成を採用する。
本願は上記課題を解決する手段を複数含んでいるが、その一例を挙げるならば、無線通信装置であって、所定の高周波信号を送受信する機能を備えた第一の無線機と、所定の高周波信号を送受信する機能を備えた第二の無線機と、入力された高周波信号の振幅あるいは位相、またはその両方を所定量変化させて出力する振幅位相調節部と、 前記第一の無線機及び前記振幅位相調節部と接続され、前記第一の無線機から入力される高周波信号を前記振幅位相調節部に出力し、前記振幅位相調節部から入力される高周波信号を前記第一の無線機に出力する第一の高周波方向調整器と、前記第二の無線機及び前記振幅位相調節部と接続され、前記第二の無線機から入力される高周波信号を前記振幅位相調節部に出力し、前記振幅位相調節部から入力される高周波信号を前記第二の無線機に出力する第二の高周波方向調整器と、を備えるキャンセラ部と、を有し、前記振幅位相調節部は、前記第一の高周波方向調整器から高周波信号が入力された場合は、前記第二の高周波方向調整器に出力し、前記第二の高周波方向調整器から高周波信号が入力された場合は、前記第一の高周波方向調整器に出力することを特徴とする。
【発明の効果】
【０００６】
本発明によれば、局内送信干渉の影響を除去あるいは低減することにより無線通信装置の基本性能の向上するとともに、小型で安価な無線通信装置を提供することができる。
【図面の簡単な説明】
【０００７】
【図１】本発明の実施例１における無線局の構成図の例である。
【図２】本発明の実施例１における振幅位相調整部の構成図の例である。
【図３】本発明の実施例１におけるキャンセラ部の構成図の例である。
【図４】本発明の実施例３におけるキャンセラ部の構成図の例である。
【図５】本発明の実施例４におけるキャンセラ部の構成図の例である。
【図６】本発明の実施例２における無線局の構成図の例である。
【発明を実施するための形態】
【０００８】
以下、実施例を図面を用いて説明する。
【実施例１】
【０００９】
図１は、本発明に係る無線局の第１の実施の形態における構成の一例を示すブロック図である。図１に示すように、本実施の形態による無線局１００は、所定の高周波信号を送受信する機能を備えた無線機１０１ａおよび無線機１０１ｂと、無線機１０１ａから入力される前記高周波信号の位相あるいは振幅、またはその両方を調節して無線機１０１ｂへ出力する機能と無線機１０１ｂから入力される前記高周波信号の位相あるいは振幅、またはその両方を調節して無線機１０１ａへ出力する機能とを備えたキャンセラ部１０７と、無線機１０１ａおよび無線機１０１ｂが送受信するデータを管理する機能を備えた図示しない制御部と、前記無線機１０１ａが高周波信号を送信および受信する際に用いられる少なくとも１つのアンテナ１０２ａ、および前記無線機１０１ｂが高周波信号を送信および受信する際に用いられる少なくとも１つのアンテナ１０２ｂを備える。
【００１０】
無線機１０１ａおよび無線機１０１ｂは、時間分割多重または周波数分割多重によって送信用の前記高周波信号と受信用の前記高周波信号とを分割多重する。また、無線機１０１ａは無線機１０１ｂとは異なる図示しない無線機と前記高周波信号を送受信し、無線機１０１ｂは無線機１０１ａとは異なる図示しない無線機と前記高周波信号を送受信する。また、無線機１０１ａと無線機１０１ｂとは、それぞれ独立に送受信動作をすることができるものとする。
【００１１】
まず、無線機１０１ａ、ｂの構成について説明する。無線機１０１ａは、所望のデータを変調してさらに所定の振幅及び周波数の高周波信号に変換して出力する機能と、入力された高周波信号を所定の振幅及び周波数に変換して所望のデータを復調する機能を備えた送受信部１０６ａと、入力された２つの高周波信号を重畳して１つの高周波信号を出力する機能を備えたＲｘ（Ｒｅｃｉｅｖｅｒ）分配器１０４ａと（ＲｘとはＲｅｃｉｅｖｅｒの略である）、入力された１つの高周波信号を所定の電力比の２つの高周波信号に分けて出力する機能を備えたＴｘ（Ｔｒａｎｓｍｉｔｔｅｒ）分配器１０５ａと（ＴｘとはＴｒａｎｓｍｉｔｔｅｒの略である）、アンテナ１０２ａが送信する前記所定の高周波信号とアンテナ１０２ａが受信する前記所定の高周波信号とを分離する機能を備えたアンテナ給電装置１０３ａと、を少なくともそれぞれ１つ備える。アンテナ給電装置１０３ａは、例えばスイッチまたはデュプレクサ等によって構成される。
【００１２】
また、無線機１０１ｂは、所望のデータを変調してさらに所定の振幅及び周波数の高周波信号に変換して出力する機能と、入力された高周波信号を所定の振幅及び周波数に変換して所望のデータを復調する機能を備えた送受信部１０６ｂと、入力された２つの高周波信号を重畳して１つの高周波信号を出力する機能を備えたＲｘ分配器１０４ｂと、入力された１つの高周波信号を所定の電力比の２つの高周波信号に分けて出力する機能を備えたＴｘ分配器１０５ｂと、アンテナ１０２ｂが送信する前記所定の高周波信号とアンテナ１０２ｂが受信する前記所定の高周波信号とを分離する機能を備えたアンテナ給電装置１０３ｂと、を少なくともそれぞれ１つ備える。アンテナ給電装置１０３ｂは、例えばスイッチまたはデュプレクサ等によって構成される。
【００１３】
次にキャンセラ部１０７について説明する。キャンセラ部１０７は、高周波方向調整器１０８ａと、高周波方向調整器１０８ｂと、入力された高周波信号の振幅あるいは位相、またはその両方を所定の量だけ変化させる機能を備えた振幅位相調整部１０９と、を少なくともそれぞれ１つ備える。また、高周波方向調整器１０８ａおよび高周波方向調整器１０８ｂは、それぞれ３つ以上の高周波信号入出力ポートを備えている。ただし、上記高周波信号入出力ポートは必ずしも入出力が行えるポートでなくてもよい。例えば、図１の高周波方向調整器１０８ａに記載のように１つの入力ポート、１つの出力ポート、１つの入出力ポートを備えていればよい。
【００１４】
ここでは、高周波方向調整器１０８ａの構成の機能について説明する。なお、高周波方向調整器１０８ａおよび高周波方向調整器１０８ｂは同様の構成を有しているものとする。高周波方向調整器１０８ａの第１の高周波信号入出力ポートから高周波信号が入力された場合、入力された高周波信号を、第２の高周波信号入出力ポートから出力し、高周波信号が入力されたポート(第１の高周波信号入出力ポート)および出力されたポート（第２の高周波信号入出力ポート）とは異なる第３の高周波信号入出力ポートに対しては、入力された高周波信号を出力しない、または、所定の量だけ減衰させて出力する機能を備えている。すなわち、高周波方向調整器１０８ａ、ｂは高周波信号の入出力方向を限定する機能を有するものである。
【００１５】
次に、無線機１０１ａ、ｂ、キャンセラ部１０７の接続関係について説明する。無線機１０１ａにおいては、送受信部１０６ａは、Ｒｘ分配器１０４ａおよびＴｘ分配器１０５ａに接続されており、また、アンテナ給電装置１０３ａは、アンテナ１０２ａと、Ｒｘ分配器１０４ａと、Ｔｘ分配器１０５ａと、３つの構成要素に接続されている。さらに、Ｒｘ分配器１０４ａおよびＴｘ分配器１０５ａは、それぞれキャンセラ部１０７の高周波方向調整器１０８ａの高周波信号入出力ポートに有線接続されている。
【００１６】
無線機１０１ｂにおいては、送受信部１０６ｂは、Ｒｘ分配器１０４ｂおよびＴｘ分配器１０５ｂに接続されており、また、アンテナ給電装置１０３ｂは、アンテナ１０２ｂと、Ｒｘ分配器１０４ｂと、Ｔｘ分配器１０５ｂと、３つの構成要素に接続されている。さらに、Ｒｘ分配器１０４ｂおよびＴｘ分配器１０５ｂは、それぞれキャンセラ部１０７の高周波方向調整器１０８ｂの高周波信号入出力ポートに有線接続されている。ここでは、高周波信号入出力ポートの接続を有線接続としているが、これに限定されず、どのような接続形態であってもよい。
【００１７】
キャンセラ部１０７においては、高周波方向調整器１０８ａおよび高周波方向調整器１０８ｂはそれぞれ振幅位相調整部１０９に接続されている。また、キャンセラ部１０７は、前記図示しない制御部が出力する制御信号１１０が入力される。制御信号１１０によって、高周波方向調整器１０８ａ、高周波方向調整器１０８ｂ、振幅位相調整部１０９の動作を制御することができる。
【００１８】
次に、図１に示した各部の動作について、無線機１０１ａが送信動作を行い、同時に無線機１０１ｂが受信動作を行う場合を例として詳細に説明する。
まず、送受信部１０６ａは、図示しない制御部から送信データを受け取り、概送信データに対して変調、周波数変換、振幅調整などの処理を行って前記所定の高周波信号に変換して、Ｔｘ分配器１０５ａへ出力する。
【００１９】
Ｔｘ分配器１０５ａは、送受信部１０６ａから入力された前記所定の高周波信号を、所定の電力比（例えば、１対１の比率）の２つの高周波信号に分割して、前記２つの高周波信号の内の１つをアンテナ給電装置１０３ａへ出力し（以下、概アンテナ給電装置１０３ａへ出力された高周波信号のことを送信信号と呼称する）、また、前記２つの高周波信号の内の別の１つを高周波方向調整器１０８ａへ出力する（以下、概高周波方向調整器１０８ａへ出力された高周波信号のことを送信参照信号と呼称する）。
【００２０】
アンテナ給電装置１０３ａは、Ｔｘ分配器１０５ａから入力された前記送信信号を、アンテナ１０２ａへ出力する。アンテナ１０２ａは、アンテナ給電装置１０３ａから入力された前記送信信号を、前記高周波信号として前記無線機１０１ｂとは異なる図示しない無線機に対して送信する。以上に説明した手順により、無線機１０１ａは前記無線機１０１ｂとは異なる図示しない無線機に対して前記送信信号を前記高周波信号として送信することが出来る。
【００２１】
ここで、前述の手順によって無線機１０１ａが送信した前記高周波信号は、本来であれば前記無線機１０１ｂとは異なる図示しない無線機によって受信されることが望ましい。しかしながら、無線機１０１ａと無線機１０１ｂとは、同一の無線局内の設けられてあるために近接している。このため、無線機１０１ａが送信した前記高周波信号が無線機１０１ｂによって受信される局内送信干渉が発生し得る。このとき、前記局内送信干渉によって無線機１０１ｂが受信した前記無線機１０１ａが送信した前記高周波信号は、無線機１０１ｂにとっては妨害波となる（以下、該妨害波を送信干渉波と呼称する）。以上が、局内送信干渉が発生するメカニズムである。
【００２２】
次に、本発明の局内送信干渉を除去あるいは低減する構成、動作について説明する。
はじめにキャンセラ部１０７の動作を詳細に説明する。、高周波方向調整器１０８ａは、入力された前記送信参照号を振幅位相調整部１０９へ出力する。振幅位相調整部１０９は、高周波方向調整器１０８ａから入力された前記送信参照信号の振幅あるいは位相、またはその両方を、所定の量だけ変化させて、高周波方向調整器１０８ｂへ出力する（以下、該振幅位相調整部１０９から高周波方向調整器１０８ｂへ出力された信号をキャンセラ信号と呼称する）。高周波方向調整器１０８ｂは、振幅位相調整部１０９から入力された前記キャンセラ信号をＲｘ分配器１０４ｂへ出力する。なお、制御信号１１０については後述する。以上が、無線機１０１ａが送信動作を行い、同時に無線機１０１ｂが受信動作を行う場合のキャンセラ部１０９の動作の一例である。
【００２３】
次に、無線機１０１ｂの受信動作について説明する。まず、アンテナ１０２ｂは、前記無線機１０１ａとは異なる図示しない無線機が送信した前記高周波信号を受信して、アンテナ給電装置１０３ｂへ出力する（以下、該高周波信号のことを所望波と呼称する）。また、このとき、アンテナ１０２ｂに対しては、前記局内送信干渉による無線機１０１ａからの前記送信干渉波が同時に入力される。
【００２４】
アンテナ給電装置１０３ｂは、アンテナ１０２ｂから入力された前記所望波および前記送信干渉波を両方ともにＲｘ分配器１０４ｂへ出力する。Ｒｘ分配器１０４ｂは、アンテナ給電装置１０３ｂから入力された前記所望波および前記送信干渉波と、高周波方向調整器１０８ｂから入力された前記キャンセラ信号とを重畳して、送受信部１０６ｂへ出力する。
【００２５】
このとき、Ｒｘ分配器１０４ｂに入力された前記キャンセラ信号の振幅および位相が、Ｒｘ分配器１０４ｂに入力された前記送信干渉波に対して同振幅かつ逆位相であった場合、Ｒｘ分配器１０４ｂで前記キャンセラ信号が前記送信干渉信号に重畳されることで打ち消し合い、Ｒｘ分配器１０４ｂから送受信部１０６ｂへの出力に含まれる前記送信干渉波は除去あるいは減衰され、前記所望波の信号品質が向上するという効果が得られる。
【００２６】
次に、送受信部１０６ｂは、Ｒｘ分配器１０４ｂから入力された前記重畳された信号に対して振幅調整、周波数変換、復調などの処理を行い、受信データを生成し、該受信データを前記図示しない制御部へ出力する。以上に説明した手順により、無線機１０１ｂは前記無線機１０１ａとは異なる図示しない無線機が送信した前記高周波信号を受信することが出来る。
【００２７】
ここで、制御信号１１０について説明する。キャンセラ部１０７には前記図示しない制御部が出力する制御信号１１０が入力されており、制御信号１１０によって、振幅位相調整部１０９、高周波方向調整器１０８ａ、高周波方向調整器１０８ｂの動作を制御することができる。具体的には、例えば、振幅位相調整部１０９が高周波方向調整器１０８ａから入力された前記送信参照信号の振幅あるいは位相、またはその両方を前記所定の量だけ変化させる場合に、該変化の量を制御信号１１０によって調整することができる。
【００２８】
そのため、Ｒｘ分配器１０４ｂに入力される前記キャンセラ信号の振幅および位相が、Ｒｘ分配器１０４ｂに入力される前記送信干渉波に対して同振幅かつ逆位相となるように、制御信号１１０によって、前記振幅位相調整部１０９における前記送信参照信号に対する振幅あるいは位相、またはその両方の変化の量を調整することができる。前記調整は、例えば、前記送受信部１０６ｂから前記図示しない制御部へ出力された前記受信データの受信品質信号を基に、前記送信干渉波がキャンセルされるよう前記図示しない制御部から振幅位相調整部１０９へ制御信号１１０を出力することで実現できる。
【００２９】
これにより、Ｒｘ分配器１０４ｂにおける前記信号の重畳により、前記キャンセラ信号と前記送信干渉信号とが打ち消し合い、Ｒｘ分配器１０４ｂから送受信部１０６ｂへの出力に含まれる前記送信干渉波は除去あるいは減衰され、前記所望波の信号品質が向上するという効果が得られる。
【００３０】
なお、前述の手続きにおける無線機１０１ａと無線機１０１ｂの送受信動作を逆にすることで、前述の手続きと全く同様にして、無線機１０１ｂの送信信号が無線機１０１ａの受信信号に与える送信干渉を除去あるいは減衰させ、これにより無線機１０１ａが本来受信したい前記高周波信号の信号品質の劣化を抑制するという同様の効果が得られる。
【００３１】
また、本実施例に示した構成によれば、無線局１００はキャンセラ部１０７を１つだけ備える構成であるため、局内送信干渉の影響を除去あるいは低減することにより無線通信装置の基本性能の向上するとともに、小型で安価な無線通信装置を提供することができる。
【００３２】
次に、本実施例に示した位相振幅調整部１０９の詳細な構成の一例について図２を用いて説明する。
図２は、位相振幅調整部１０９の詳細な構成の一例を示した構成図である。
本実施例においては、位相振幅調整部１０９は、位相調整部２０１ａと、位相調整部２０１ｂと、可変減衰器２０２と、を備えている。
【００３３】
位相調整部２０１ａは、スイッチ２０３ａ−１とスイッチ２０３ａ−２と、２つ以上のキャパシタから構成されるキャパシタバンク２０４ａと、によって構成される。スイッチ２０３ａ−１とスイッチ２０３ａ−２は、共に制御信号１１０によって同期制御されており、キャパシタバンク２０４ａの中から同じ１つのキャパシタを選択してそれぞれに接続する。これにより、位相調整部２０１ａは、位相調整部２０１ａを通過する高周波信号の位相を回転させる機能と、前記位相の回転量を制御信号１１０によって調整する機能と、を備えている。
【００３４】
位相調整部２０１ｂは、スイッチ２０３ｂ−１とスイッチ２０３ｂ−２と、２つ以上のキャパシタから構成されるキャパシタバンク２０４ｂと、によって構成される。スイッチ２０３ｂ−１とスイッチ２０３ｂ−２は、共に制御信号１１０によって同期制御されており、キャパシタバンク２０４ｂの中から同じ１つのキャパシタを選択してそれぞれに接続する。これにより、位相調整部２０１ｂは、位相調整部２０１ｂを通過する高周波信号の位相を回転させる機能と、前記位相回転量を制御信号１１０によって調整する機能と、を備えている。
【００３５】
可変減衰器２０２は可変抵抗２０５ａと、可変抵抗２０５ｂと、可変抵抗２０５ｃから構成される。可変抵抗２０５ａと、可変抵抗２０５ｂと、可変抵抗２０５ｃとは、いずれも制御信号１１０によって同期制御されており、制御信号１１０に従ってそれぞれの抵抗値を独立に変化させることができる。これにより、可変減衰器２０２は、可変減衰器２０２を通過する高周波信号の振幅を変化させる機能と、前記振幅の変化量を制御信号１１０によって調整する機能と、を備えている。
【００３６】
振幅位相調整部１０９においては、高周波方向調整器１０８ａから入力された前記送信参照信号は、位相調整部２０１ａへ入力され、位相調整部２０１ａを通過することによって位相が回転して可変減衰器２０２へ入力され、可変減衰器２０２を通過することによって振幅が変化し、次に、位相調整部２０１ｂを通過することによって位相がさらに回転して、前記キャンセラ信号として高周波方向調整器１０８ｂへ出力される。
【００３７】
本実施例における位相振幅調整部１０９は、以上に説明した構成をとることにより、無線機１０１ａから高周波方向調整器ａを経由して入力される前記送信参照信号の振幅あるいは位相または、その両方を、制御信号１１０に従って調節して、高周波方向調整器ｂを経由して無線機１０１ａへ出力する機能と、を備える。前記調節は、例えば、前記送受信部１０６ｂから前記図示しない制御部へ出力された前記受信データの受信品質信号を基に、前記送信干渉波がキャンセルされるよう前記図示しない制御部から振幅位相調整部１０９へ制御信号１１０を出力することで実現できる。
【００３８】
また、前記の位相振幅調整部１０９の構成は一つの例であり、コンデンサあるいはコイルあるいは抵抗、あるいはそれに類するその他受動素子を組み合わせた受動回路と、トランジスタまたはスイッチ素子に類する能動素子を利用した能動回路と、所定の線路長を備えた伝送線路と、等を、所定の数、所定の順番で組み合わせて構成されていてもよい。
【００３９】
具体的には、本実施例おける位相調整部２０１ａおよび位相調整部２０１ｂはキャパシタバンク２０４ａ、キャパシタバンク２０４ｂおよびスイッチを用いることで位相を回転させる機能を実現しているが、例えば、ＭＥＭＳ（Ｍｉｃｒｏ  Ｅｌｅｃｔｒｏ  Ｍｅｃｈａｎｉｃａｌ  Ｓｙｓｔｅｍｓ）キャパシタを用いて構成されていても同様の機能は実現可能である。また、スイッチとしてＭＥＭＳ（Ｍｉｃｒｏ  Ｅｌｅｃｔｒｏ  Ｍｅｃｈａｎｉｃａｌ  Ｓｙｓｔｅｍｓ）を用いても良い。
【００４０】
次に、本実施例に示したキャンセラ部１０７の詳細な構成の一例、特に高周波方向調整器１０８ａおよび高周波方向調整器１０８ｂについて図３を用いて説明する。
図３は、キャンセラ部１０７の詳細な構成の一例を示した構成図である。
【００４１】
本実施例においては、キャンセラ部１０７は、振幅位相調整部１０９と、サーキュレータ３０１ａと、サーキュレータ３０１ｂと、を備えている。すなわち、高周波方向調整器１０８ａとしてサーキュレータ３０１ａを備え、高周波方向調整器１０８ｂとしてサーキュレータ３０１ｂを備えている。
【００４２】
サーキュレータ３０１ａは、Ｔｘ分配器１０５ａおよびＲｘ分配器１０４ａおよび、振幅位相調整部１０９に接続されており、Ｔｘ分配器１０５ａから入力された信号は振幅位相調整部１０９へ出力し、振幅位相調整部１０９から入力された信号はＲｘ分配器１０４ａへ出力する機能を備えている。これにより、前記高周波方向調整器１０８ａの動作および機能を実現することができる。
【００４３】
また、サーキュレータ３０１ｂは、Ｔｘ分配器１０５ｂおよびＲｘ分配器１０４ｂおよび、振幅位相調整部１０９に接続されており、Ｔｘ分配器１０５ｂから入力された信号は振幅位相調整部１０９へ出力し、振幅位相調整部１０９から入力された信号はＲｘ分配器１０４ｂへ出力する機能を備えている。これにより、前記高周波方向調整器１０８ｂの動作および機能を実現することができる。また、サーキュレータは受動素子であるため、電力消費の抑制が可能であり、また、時間多重分割あるいは周波数多重分割のどちらの無線通信方式にも対応が可能である。
【００４４】
本実施例に示した無線通信装置の構成によれば、高周波信号を送受信する機能を持つ無線機を複数備えた無線局において、当該無線局に設けられた無線機の内の１つの送信信号が、当該無線局内の別の無線機の受信信号に干渉する局内送信干渉の影響を除去あるいは低減するとともに、小型で安価な無線通信装置を提供することができる。
【実施例２】
【００４５】
図６は、本発明に係る無線局の構成の第２の実施の形態の一例を示したブロック図である。なお、図６において、図１に示した前記第１の実施の形態の構成要素と対応する部分には同一の符号を付してある。
以下、図６を用いて、本実施の形態における無線局６００の構成について、前記第１の実施の形態と相違する部分について詳細に説明する。
【００４６】
本実施の形態による無線局６００は、所定の高周波信号を送受信する機能を備えた無線機６０１ａおよび無線機６０１ｂとを有する。そして無線機６０１ａから入力される前記高周波信号の振幅あるい位相、またはその両方を調節して無線機６０１ｂへ出力する機能と、無線機６０１ｂから入力される前記高周波信号の振幅あるい位相、またはその両方を調節して無線機６０１ａへ出力する機能と、を備えたキャンセラ部１０７を備える。
【００４７】
また、無線機６０１ａおよび無線機６０１ｂが送受信するデータを管理する機能を備えた図示しない制御部と、前記無線機６０１ａが高周波信号を送信および受信する際に用いられる少なくとも１つのアンテナ６０２ａ、および前記無線機６０１ｂが高周波信号を送信および受信する際に用いられる少なくとも１つのアンテナ６０２ｂを備える。
【００４８】
また、無線機６０１ａおよび無線機６０１ｂは、時間分割多重または周波数分割多重によって送信用の前記高周波信号と受信用の前記高周波信号とを分割多重する。また、無線機６０１ａは無線機６０１ｂとは異なる図示しない無線機と前記高周波信号を送受信し、無線機６０１ｂは無線機６０１ａとは異なる図示しない無線機と前記高周波信号を送受信する。また、無線機６０１ａと無線機６０１ｂとは、それぞれ独立に送受信動作をすることができる。
【００４９】
さらに、無線機６０１ａは、所望のデータを変調してさらに所定の振幅及び周波数の高周波信号に変換して出力する機能と、入力された高周波信号を所定の振幅及び周波数に変換して所望のデータを復調する機能を備えた送受信部１０６ａと、入力された２つの高周波信号を重畳して１つの高周波信号を出力する機能を備えたＲｘ分配器１０４ａと、入力された１つの高周波信号を所定の電力比の２つの高周波信号に分けて出力する機能を備えたＴｘ分配器１０５ａと、アンテナ１０２ａが送信する前記所定の高周波信号とアンテナ１０２ａが受信する前記所定の高周波信号とを分離する機能を備えたアンテナ給電装置１０３ａと、を少なくともそれぞれ１つ備える。アンテナ給電装置１０３ａは、例えばスイッチまたはデュプレクサによって構成される。
【００５０】
また、本実施の形態における無線機６０１ａは、Ｒｘ分配器１０４ａがアンテナ１０２ａ、高周波方向調整器１０８ａ及びアンテナ給電装置１０３ａの３つの構成要素に接続されている。また、Ｔｘ分配器１０５ａはアンテナ給電装置１０３ａ、高周波方向調整器１０８ａ及び送受信部１０６ａに接続されている。、さらにアンテナ給電装置１０３ａと送受信部１０６ａとが接続されている。
【００５１】
また、無線機６０１ｂは、所望のデータを変調してさらに所定の振幅及び周波数の高周波信号に変換して出力する機能と、入力された高周波信号を所定の振幅及び周波数に変換して所望のデータを復調する機能を備えた送受信部１０６ｂと、入力された２つの高周波信号を重畳して１つの高周波信号を出力する機能を備えたＲｘ分配器１０４ｂと、入力された１つの高周波信号を所定の電力比の２つの高周波信号に分けて出力する機能を備えたＴｘ分配器１０５ｂと、アンテナ１０２ｂが送信する前記所定の高周波信号とアンテナ１０２ｂが受信する前記所定の高周波信号とを分離する機能を備えたアンテナ給電装置１０３ｂと、を少なくともそれぞれ１つ備える。アンテナ給電装置１０３ｂは、例えばスイッチまたはデュプレクサによって構成される。
【００５２】
また、本実施の形態における無線機６０１ｂは、Ｒｘ分配器１０４ｂがアンテナ１０２ｂ、高周波方向調整器１０８ｂ及びアンテナ給電装置１０３ｂの３つの構成要素に接続されている。また、Ｔｘ分配器１０５ｂはアンテナ給電装置１０３ｂ、高周波方向調整器１０８ｂ及び送受信部１０６ｂに接続されており、さらにアンテナ給電装置１０３ｂと送受信部１０６ｂとが接続されている。本実施例におけるキャンセラ部１０７の構成は、第１の実施例と同様である。
【００５３】
次に、図６に示した各部の動作について、無線機６０１ａが送信動作を行い、同時に無線機６０１ｂが受信動作を行う場合を例として詳細に説明する。
まず、送受信部１０６ａは、図示しない制御部から送信データを受け取り、概送信データに対して変調、周波数変換、振幅調整などの処理を行って前記所定の高周波信号に変換して、Ｔｘ分配器１０５ａへ出力する。
【００５４】
Ｔｘ分配器１０５ａは、送受信部１０６ａから入力された前記所定の高周波信号を、所定の電力比（例えば、１対１の比率）の２つの高周波信号に分割して、前記２つの高周波信号の内の１つをアンテナ給電装置１０３ａへ出力し（以下、概アンテナ給電装置１０３ａへ出力された高周波信号のことを送信信号と呼称する）、また、前記２つの高周波信号の内の別の１つを高周波方向調整器１０８ａへ出力する（以下、概高周波方向調整器１０８ａへ出力された高周波信号のことを送信参照信号と呼称する）。
【００５５】
アンテナ給電装置１０３ａは、Ｔｘ分配器１０５ａから入力された前記送信信号を、Ｒｘ分配器１０４ａへ出力する。Ｒｘ分配器１０４ａは、前記送信信号をアンテナ１０２ａへ出力する。アンテナ１０２ａは、Ｒｘ分配器１０４ａから入力された前記送信信号を、前記高周波信号として前記無線機６０１ｂとは異なる図示しない無線機に対して送信する。以上に説明した手順により、無線機６０１ａは前記無線機６０１ｂとは異なる図示しない無線機に対して前記送信信号を前記高周波信号として送信することが出来る。
【００５６】
ここで、実施例１でも説明したように無線機６０１ａが送信した前記高周波信号が無線機６０１ｂによって受信される局内送信干渉が発生し得る。このとき、前記局内送信干渉によって無線機６０１ｂが受信した前記無線機６０１ａが送信した前記高周波信号は、無線機６０１ｂにとっては妨害波となる（以下、該妨害波を送信干渉波と呼称する）。
【００５７】
次に、本発明の局内送信干渉を除去あるいは低減する構成、動作について説明する。
本実施例におけるキャンセラ部１０７の動作については、前述の第１の実施例とまったく同様であり、前記第１の実施例で説明した前記キャンセラ信号と同様のキャンセラ信号をＲｘ分配器１０４ｂへ出力する。
【００５８】
次に、無線機６０１ｂの受信動作について説明する。まず、アンテナ１０２ｂは、前記無線機６０１ａとは異なる図示しない無線機が送信した前記高周波信号を受信して、Ｒｘ分配器１０４ｂへ出力する（以下、該高周波信号のことを所望波と呼称する）。また、このとき、アンテナ１０２ｂに対しては、前記局内送信干渉による無線機６０１ａからの前記送信干渉波が同時に入力される。
【００５９】
Ｒｘ分配器１０４ｂは、アンテナ１０２ｂから入力された前記所望波および前記送信干渉波と、高周波方向調整器１０８ｂから入力された前記キャンセラ信号とを重畳して、アンテナ給電装置１０３ｂへ出力する。このとき、Ｒｘ分配器１０４ｂに入力された前記キャンセラ信号の振幅および位相が、Ｒｘ分配器１０４ｂに入力された前記送信干渉波に対して同振幅かつ逆位相であった場合、Ｒｘ分配器１０４ｂで前記キャンセラ信号が前記送信干渉信号に重畳されることで打ち消し合い、Ｒｘ分配器１０４ｂからアンテナ給電装置１０３ｂへの出力に含まれる前記送信干渉波は除去あるいは減衰され、前記所望波の信号品質が向上するという効果が得られる。
【００６０】
次に、アンテナ給電装置１０３ｂは、Ｒｘ分配器１０４ｂから入力された前記重畳された信号を送受信部１０６ｂへ出力する。次に、送受信部１０６ｂは、アンテナ給電装置１０３ｂから入力された前記重畳された信号に対して振幅調整、周波数変換、復調などの処理を行い、受信データを生成し、該受信データを前記図示しない制御部へ出力する。以上に説明した手順により、無線機１０１ｂは前記無線機１０１ａとは異なる図示しない無線機が送信した前記高周波信号を受信することが出来る。
【００６１】
なお、制御信号１１０およびキャンセラ部１０７については、前記第１の実施例とまったく同様である。また、無線機１０１ａと無線機１０１ｂの送受信動作を逆にすることで、前述の制御動作と同様にして、無線機１０１ｂの送信信号が無線機１０１ａの受信信号に与える送信干渉を除去あるいは減衰させ、これにより無線機１０１ａが本来受信したい前記高周波信号の信号品質の劣化を抑制するという同様の効果が得られる。
【００６２】
また、本実施例に示した構成によれば、無線局６００は振幅位相調整部１０９、キャンセラ部１０７をいずれも１つだけ備える構成であるため、小型で安価な無線通信装置を提供することができる。なお、本実施例に示した位相振幅調整部１０９の詳細な構成および動作の一例については、前記第１の実施例と同様である。また、本実施例に示したキャンセラ部１０７の詳細な構成の一例、特に高周波方向調整器１０８ａおよび高周波方向調整器１０８ｂについては、前記第１の実施例と同様である。
【００６３】
以上、本実施例に示した無線通信装置の構成によれば、高周波信号を送受信する機能を持つ無線機を複数備えた無線局において、当該無線局に設けられた無線機の内の１つの送信信号が、当該無線局内の別の無線機の受信信号に干渉する局内送信干渉の影響を除去あるいは低減することができ、小型で安価な無線通信装置を提供することができる。
【実施例３】
【００６４】
本発明の実施例３における構成を図４に示す。図４は、本発明に係るキャンセラ部１０７の構成に関して図３に示した実施の形態とは別の実施の形態の一例を示したブロック図である。なお、図４において、図３に示した構成要素と対応する部分には同一の符号を付してある。以下、本実施例に示したキャンセラ部１０７の詳細な構成の一例、特に高周波方向調整器１０８ａおよび高周波方向調整器１０８ｂの実施の形態の一例について図４を用いて説明する。
【００６５】
本実施例においては、キャンセラ部１０７は、振幅位相調整部１０９と、スイッチ４０１ａと、スイッチ４０１ｂと、を備えている。すなわち、高周波方向調整器１０８ａとしてスイッチ４０１ａを備え、高周波方向調整器１０８ｂとしてスイッチ４０１ｂを備えている。
【００６６】
スイッチ４０１ａは、Ｔｘ分配器１０５ａおよびＲｘ分配器１０４ａおよび、振幅位相調整部１０９に接続されており、また、制御信号１１０が入力されている。スイッチ４０１ａは、制御信号１１０に従って、振幅位相調整部１０９とＴｘ分配器１０５ａを接続するか、あるいは、振幅位相調整部１０９とＲｘ分配器１０４ａを接続するか、を切り替えることができる。
【００６７】
これにより、スイッチ４０１ａは、Ｔｘ分配器１０５ａから入力された信号は振幅位相調整部１０９へ出力し、また、振幅位相調整部１０９から入力された信号はＲｘ分配器１０４ａへ出力することができる。これにより、スイッチ４０１ａは、前記高周波方向調整器１０８ａの動作および機能を実現することができる。
【００６８】
スイッチ４０１ｂは、Ｔｘ分配器１０５ｂおよびＲｘ分配器１０４ｂおよび、振幅位相調整部１０９に接続されており、また、制御信号１１０が入力されている。スイッチ４０１ｂは、制御信号１１０に従って、振幅位相調整部１０９とＴｘ分配器１０５ｂを接続するか、あるいは、振幅位相調整部１０９とＲｘ分配器１０４ｂを接続するか、を切り替えることができる。これにより、スイッチ４０１ｂは、Ｔｘ分配器１０５ｂから入力された信号は振幅位相調整部１０９へ出力し、また、振幅位相調整部１０９から入力された信号はＲｘ分配器１０４ｂへ出力することができる。これにより、スイッチ４０１ｂは、前記高周波方向調整器１０８ｂの動作および機能を実現することができる。
【００６９】
本実施例に示したとおり、高周波方向調整器１０８ａおよび高周波方向調整器１０８ｂとしてスイッチを用いることにより、Ｔｘ分配器１０５ａあるいはＴｘ分配器１０５ｂから高周波方向調整器１０８ａあるいは高周波方向調整器１０８ｂへそれぞれ入力された信号の内の一部が、振幅位相調整部１０９ではなくＲｘ分配器１０４ａあるいはＲｘ分配器１０４ｂへ漏洩する漏洩電力を抑制することができる。すなわち、アイソレーションを高く保つことが出来る。また、前記第２の実施例に示したサーキュレータよりも、本実施例に示したスイッチのほうが、小型かつ安価に高周波方向調整器を構成することができる。
【００７０】
本実施例に示した無線通信装置の構成によれば、高周波信号を送受信する機能を持つ無線機を複数備えた無線局において、当該無線局に設けられた無線機の内の１つの送信信号が、当該無線局内の別の無線機の受信信号に干渉する局内送信干渉の影響を除去あるいは低減するとともに、小型で安価な無線通信装置を提供することができる。
【実施例４】
【００７１】
本発明の実施例４における構成を図５に示す。図５は、本発明に係るキャンセラ部１０７の構成に関して図３あるいは図４に示した実施の形態とは別の実施の形態の一例を示したブロック図である。なお、図５において、図３あるいは図４に示した構成要素と対応する部分には同一の符号を付してある。
【００７２】
以下、本実施例に示したキャンセラ部１０７の詳細な構成の一例、特に高周波方向調整器１０８ａおよび高周波方向調整器１０８ｂの実施の形態の一例について図５を用いて説明する。
【００７３】
本実施例においては、キャンセラ部１０７は、振幅位相調整部１０９と、デュプレクサ５０１ａと、デュプレクサ５０１ｂと、を備えている。すなわち、高周波方向調整器１０８ａとしてデュプレクサ５０１ａを備え、高周波方向調整器１０８ｂとしてデュプレクサ５０１ｂを備えている。
【００７４】
デュプレクサ５０１ａは、Ｔｘ分配器１０５ａおよびＲｘ分配器１０４ａおよび、振幅位相調整部１０９に接続されており、Ｔｘ分配器１０５ａから入力された信号は振幅位相調整部１０９へ出力し、振幅位相調整部１０９から入力された信号はＲｘ分配器１０４ａへ出力する機能を備えている。これにより、前記高周波方向調整器１０８ａの動作および機能を実現することができる。
【００７５】
これにより、デュプレクサ５０１ａは、Ｔｘ分配器１０５ａから入力された信号は振幅位相調整部１０９へ出力し、また、振幅位相調整部１０９から入力された信号はＲｘ分配器１０４ａへ出力することができるデュプレクサ５０１ａは、前記高周波方向調整器１０８ａの動作および機能を実現することができる。
【００７６】
デュプレクサ５０１ｂは、Ｔｘ分配器１０５ｂおよびＲｘ分配器１０４ｂおよび、振幅位相調整部１０９に接続されており、Ｔｘ分配器１０５ｂから入力された信号は振幅位相調整部１０９へ出力し、振幅位相調整部１０９から入力された信号はＲｘ分配器１０４ｂへ出力する機能を備えている。これにより、前記高周波方向調整器１０８ｂの動作および機能を実現することができる。
【００７７】
これにより、デュプレクサ５０１ｂは、Ｔｘ分配器１０５ｂから入力された信号は振幅位相調整部１０９へ出力し、また、振幅位相調整部１０９から入力された信号はＲｘ分配器１０４ｂへ出力することができ、デュプレクサ５０１ｂは、前記高周波方向調整器１０８ｂの動作および機能を実現することができる。
【００７８】
本実施例に示したデュプレクサは受動素子であるため電力消費の抑制が可能であり、また、周波数多重分割による通信への対応が可能となる。
本実施例に示した無線通信装置の構成によれば、高周波信号を送受信する機能を持つ無線機を複数備えた無線局において、当該無線局に設けられた無線機の内の１つの送信信号が、当該無線局内の別の無線機の受信信号に干渉する局内送信干渉の影響を除去あるいは低減するとともに、小型で安価な無線通信装置を提供することができる。
【００７９】
なお、本発明は上記した各実施例に限定されるものではなく、様々な変形例が含まれる。例えば、上記した各実施例は本発明を分かりやすく説明するために詳細に説明されたものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【００８０】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【００８１】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００８２】
１００    無線局
１０１ａ  無線機
１０１ｂ  無線機
１０２ａ  アンテナ
１０２ｂ  アンテナ
１０３ａ  アンテナ給電装置
１０３ｂ  アンテナ給電装置
１０４ａ  Ｒｘ分配器
１０４ｂ  Ｒｘ分配器
１０５ａ  Ｔｘ分配器
１０５ｂ  Ｔｘ分配器
１０６ａ  送受信部
１０６ｂ  送受信部
１０７    キャンセラ部
１０８ａ  高周波方向調整器
１０８ｂ  高周波方向調整器
１０９    振幅位相調整部
１１０    制御信号
２０１ａ  位相調整部
２０１ｂ  位相調整部
２０２    可変減衰器
２０３ａ−１  スイッチ
２０３ａ−２  スイッチ
２０３ｂ−１  スイッチ
２０３ｂ−２  スイッチ
２０４ａ  キャパシタバンク
２０４ｂ  キャパシタバンク
２０５ａ  可変抵抗器
２０５ｂ  可変抵抗器
２０５ｃ  可変抵抗器
３０１ａ  サーキュレータ
３０１ｂ  サーキュレータ
４０１ａ  スイッチ
４０１ｂ  スイッチ
５０１ａ  デュプレクサ
５０１ｂ  デュプレクサ
６００    無線局
６０１ａ  無線機
６０１ｂ  無線機
【図１】
2014086825.tif 000003
【図２】
2014086825.tif 000004
【図３】
2014086825.tif 000005
【図４】
2014086825.tif 000006
【図５】
2014086825.tif 000007
【図６】
2014086825.tif 000008